(57)【要約】【課題】排出された搬送媒体が排出トレイに積載されても排出トレイの角度を調整可能とする。【解決手段】装置本体と、前記装置本体に設けられた給紙口と、前記給紙口から給紙されたシートを搬送路に沿って搬送する搬送手段と、前記シートを前記装置本体から排出するための排出口と、前記排出口から排出された前記シートを受ける排出トレイとを備え、前記排出トレイは、排出された前記シートを受ける積載面を構成する第１排出トレイと、前記排出トレイにおける前記積載面と反対側のトレイ外装面を構成する第２排出トレイとを有し、前記積載面と前記トレイ外装面とが略平行となる第１の位置と、前記第１排出トレイの下流端が前記第２排出トレイから離間する第２の位置との間で回動可能なように、前記第１排出トレイが前記シートの搬送方向上流側で前記第２排出トレイに対して連結されていることを特徴とする。【選択図】図１４
2018104154.tif 000002
【特許請求の範囲】
【請求項１】
装置本体と、
前記装置本体に設けられた給紙口と、
前記給紙口から給紙されたシートを搬送路に沿って搬送する搬送手段と、
前記シートを前記装置本体から排出するための排出口と、
前記排出口から排出された前記シートを受ける排出トレイと
を備え、
前記排出トレイは、
排出された前記シートを受ける積載面を構成する第１排出トレイと、
前記排出トレイにおける前記積載面と反対側のトレイ外装面を構成する第２排出トレイと
を有し、
前記積載面と前記トレイ外装面とが略平行となる第１の位置と、
前記第１排出トレイの下流端が前記第２排出トレイから離間する第２の位置との間で回動可能なように、前記第１排出トレイが前記シートの搬送方向上流側で前記第２排出トレイに対して連結されていることを特徴とするシート搬送装置。
【請求項２】
前記第１排出トレイと前記第２排出トレイとの間に設けられ、前記第１排出トレイを前記第２の位置側に付勢する付勢手段と、
前記第１排出トレイの下流端と前記第２排出トレイの下流端との離間を規制する規制部と
を備えたことを特徴とする請求項１に記載のシート搬送装置。
【請求項３】
前記規制部を複数有することで前記第１排出トレイの規制位置を複数段階に調整可能とし、前記第１排出トレイの前記積載面と前記第２排出トレイの前記外装面とのなす角度を複数段階に調整可能としたことを特徴とする請求項２に記載のシート搬送装置。
【請求項４】
前記規制部による前記第１排出トレイの規制を解除するためのロック部材が、前記排出トレイの幅方向端面に設けられていることを特徴とする請求項２または３に記載のシート搬送装置。
【請求項５】
前記第１排出トレイは、排出される前記シートの搬送方向と略垂直に前記積載面が起立するように角度調整が可能なことを特徴とする請求項１から４のいずれか一項に記載のシート搬送装置。
【発明の詳細な説明】
【技術分野】
【０００１】
本発明は、シートを搬送する搬送装置及びその制御方法、シートから情報を読み取る情報読取装置に関する。
【背景技術】
【０００２】
複写機、スキャナ、プリンタ等において、複数枚のシートを１枚ずつ搬送する機構を備えたものが知られている。例えば、スキャナではチェック、小切手、ドキュメント等の原稿束が原稿台状に載置され、給紙機構によりこれが１枚ずつ分離して搬送しながら、原稿の画像を読み取る画像読取装置が知られている。
【先行技術文献】
【特許文献】
【０００３】
【特許文献１】特開２０１４−７２５６４号公報
【特許文献２】特開２０１６−０２０２７９号公報
【発明の概要】
【発明が解決しようとする課題】
【０００４】
特許文献１に開示されている装置は、装置本体のシート排出口側に排出トレイが設けられている。これにより、排出されるシートを受けて整列性を向上している。
【０００５】
しかしながら、特許文献１にある排出トレイに対して排出する紙の種類によっては必ずしも整列性よくシートを受けることが出来ないという課題があった。
【０００６】
特許文献２に開示されている装置は、装置本体から引き出し可能なトレイ支持部にシート排出トレイを当接させることで、シート排出トレイの角度を調整可能としている。
【０００７】
しかしながら、シート排出トレイの角度を調整する際、シート排出トレイとトレイ支持部材を離間させる、すなわちシート排出トレイ全体を持ち上げる必要があるため、装置がシートを搬送している最中に角度を調整することが困難であり、シート搬送を中断しなければならないという課題がある。
【０００８】
本発明は、シート搬送中においても、シート排出トレイの角度を調整可能とし、排出されたシートの整列性を向上可能な技術を提供するものである。
【課題を解決するための手段】
【０００９】
本発明によれば、
装置本体と、
前記装置本体に設けられた給紙口と、
前記給紙口から給紙されたシートを搬送路に沿って搬送する搬送手段と、
前記シートを前記装置本体から排出するための排出口と、
前記排出口から排出された前記シートを受ける排出トレイと
を備え、
前記排出トレイは、
排出された前記シートを受ける積載面を構成する第１排出トレイと、
前記排出トレイにおける前記積載面と反対側のトレイ外装面を構成する第２排出トレイと
を有し、
前記積載面と前記トレイ外装面とが略平行となる第１の位置と、
前記第１排出トレイの下流端が前記第２排出トレイから離間する第２の位置との間で回動可能なように、前記第１排出トレイが前記シートの搬送方向上流側で前記第２排出トレイに対して連結されていることを特徴とする。
【発明の効果】
【００１０】
本発明によれば、シート搬送中においても、第１排出トレイの角度を調整して積載面の角度を適宜調整することが出来るため、シートの整列性を向上することが出来る。
【図面の簡単な説明】
【００１１】
【図１】本発明の一実施形態に係る画像読取装置の概略図。
【図２】図１の画像読取装置の制御ユニットのブロック図。
【図３】本発明の一実施形態に係る画像読取装置の正面図。
【図４】本発明の一実施形態に係る画像読取装置の他の正面図。
【図５】本発明の一実施形態に係る画像読取装置の上面図。
【図６】本発明の一実施形態に係る画像読取装置の他の上面図。
【図７】本発明の一実施形態に係る画像読取装置の概略断面図。
【図８】本発明の一実施形態に係る画像読取装置の他の概略断面図。
【図９】本発明の一実施形態に係る画像読取装置の側面図。
【図１０】本発明の一実施形態に係る画像読取装置の側面図。
【図１１】本発明の一実施形態に係る画像読取装置の要部断面図。
【図１２】本発明の一実施形態に係る画像読取装置の画像読取ユニットの断面図。
【図１３】本発明の一実施形態に係る画像読取装置の概略断面図。
【図１４】本発明の一実施形態に係る排出トレイにおいて内排出トレイが収納状態の概略断面図。
【図１５】本発明の一実施形態に係る排出トレイにおいて内排出トレイが展開状態の概略断面図。
【図１６】本発明の一実施形態に係る排出トレイにおいて内排出トレイが第２の位置で展開状態の概略断面図。
【図１７】本発明の一実施形態に係る排出トレイにおいて内排出トレイが第３の位置で展開状態の概略断面図。
【発明を実施するための形態】
【００１２】
（第一実施形態）
図１は本発明の一実施形態に係る画像読取装置Ａの概略図である。
【００１３】
＜装置の構成＞
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。搬送媒体Ｓには、また、パスポートなどの冊子も含まれる。冊子を対象とする場合、ホルダ２００を用いることができる。透明なホルダ２００に見開き状態の冊子を収容して載置台１に載置することで、冊子がホルダ２００と共に搬送され、その画像を読み取ることができる。
【００１４】
＜給紙＞
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１５】
＜駆動部＞
駆動部３と送りローラ１１とを接続する伝達部５は、例えば、本実施形態では、通常時において駆動力が伝達される状態とし、搬送媒体Ｓを逆送または停止する場合には駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１６】
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１７】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１８】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作用を持たせるようにしてもよい。
【００１９】
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００２０】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。
【００２１】
駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れ回る。この従動ローラ３２は、バネ等の付勢ユニット（不図示）によって駆動ローラ３１に対して付勢された構成としてもよい。
【００２２】
排出トレイ２は、画像読取装置Ａに対して回動可能なように、画像読取装置Ａの下方に設けられた第１ヒンジ１０１を介して軸支されている。また、第１ヒンジ１０１側の第１排出トレイ２ａとその先端側に接続された第１延長トレイ２ｂ、第２延長トレイ２ｃ、第３延長トレイ２ｄとから構成されている。第１延長トレイ２ｂは第１排出トレイ２ａに対して摺動可能に支持されており、第２延長トレイ２ｃは第１延長トレイ２ｂに対して摺動可能に支持されており、第３延長トレイ２ｄは第２延長トレイ２ｃに対して摺動可能に支持されている。
【００２３】
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００２４】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００２５】
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００２６】
＜レジストセンサ＞
このような重送検出センサ４０よりも搬送方向下流側に配置される媒体検出センサ５０は第２搬送部２０よりも上流側で、第１搬送部１０よりも下流側に配置された搬送路ＲＴ上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００２７】
本実施形態の場合、搬送媒体Ｓの先端が媒体検出センサ５０で検出された時点で、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００２８】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００２９】
＜ＣＩＳの配置＞
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００３０】
＜ブロック図の説明＞
図２を参照して制御部８０について説明する。図２は画像読取装置Ａの制御部８０のブロック図である。
【００３１】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００３２】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００３３】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
【００３４】
＜ＰＣからの開始指示受信による駆動＞
画像読取装置Ａの基本的な動作について説明する。制御部８０は、例えば画像読取装置Ａが接続された外部パソコンから画像読み取りの開始指示を受信すると、第１乃至第３搬送部１０乃至３０の駆動を開始する。載置台１に積載された搬送媒体Ｓはその最も下に位置する搬送媒体Ｓから１つずつ搬送される。
【００３５】
また、後述するように、画像読取装置Ａの操作部８３に設けられたスタートキーによって画像の読み取りを開始し、その後画像読取の開始を外部パソコンに通知するようにしてもよい。
【００３６】
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
【００３７】
＜レジストセンサの出力に応じた読取開始＞
制御部８０は、媒体検出センサ６０の検出結果に基づくタイミングで、第２搬送部２０により搬送されてきた搬送媒体Ｓの、画像読取ユニット７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００３８】
＜表示パネルの構成＞
図３は本発明の一実施形態に係る画像読取装置Ａの排出トレイ２を展開した状態の正面図である。より正確には、画像読取装置Ａの正面側に傾斜して設けられた正面パネル９０に対して垂直な方向から見た図であり、装置を載置した状態における正面よりもやや上方から見た状態の図である。
【００３９】
正面上部の正面パネル９０には表示パネル９３が設けられ、その内部には操作部８３の一例としての操作キー群１２２が設けられている。
【００４０】
操作キー群１２２には、画像読取装置Ａの動作を開始するためのスタートキー、ストップキーなどが設けられており、操作キー群１２２に隣接するようにして表示部９４が設けられている。
【００４１】
＜排紙構造＞
正面下部の下部パネル９１には排出開口９２が設けられており、第３搬送部３０によって搬送された搬送媒体Ｓが排出される。
【００４２】
図４は本発明の一実施形態に係る画像読取装置Ａの排出トレイ２を収納した状態の正面図である。
【００４３】
排出トレイ２は、画像読取装置Ａに対して回動可能なように、画像読取装置Ａの下方に設けられた第１ヒンジ１０１を介して軸支されており、第１排出トレイ２ａによって本体前面を覆うように構成されている。
【００４４】
第１排出トレイ２ａは、第１ヒンジ１０１を支点として回動可能に画像読取装置Ａの本体１００に取り付けられている。第１排出トレイ２ａは、正面パネル９０と同サイズで形成され、図４に示すような排出トレイ２の収納状態において、第１ヒンジ１０１を支点として回動し、正面パネル９０を覆うように折り畳まれる。排紙トレイ２を正面パネル９０側に折り畳んだ状態において、排出開口９２は開放されており、搬送された搬送媒体Ｓの排出が可能となっている。
【００４５】
図５は本発明の一実施形態に係る画像読取装置Ａの排出トレイ２を展開した状態における上面図である。
【００４６】
第３搬送部３０により搬送されてきた搬送媒体Ｓは、排出開口９２を経て第１排出トレイ２ａに排出され、搬送媒体Ｓのサイズによっては第１排出トレイ２ａから引き出された第１延長トレイ２ｂ、第２延長トレイ２ｃ、第３延長トレイ２ｄまで到達し、案内される。
【００４７】
第３延長トレイ２ｄには、排出位置調整部材１２０が回動可能に設けられており、搬送媒体Ｓの搬送方向に対する長さに応じて引き出された各延長トレイに対し、起立状態に回動させることで搬送媒体Ｓが停止する位置を調整し、排出された搬送媒体Ｓを散らばりにくくして整列性を向上できる。
【００４８】
＜給送構造詳細＞
図６は本発明の一実施形態に係る画像読取装置Ａの排出トレイ２を収納した状態における上面図である。
【００４９】
給送トレイ１１０には、配置される搬送媒体Ｓの大きさに合わせて搬送方向に対して直交する方向にスライド可能に取り付けられた規制部材１１１が設けられている。また、給送トレイ１１０の中央には、引き出して使用することのできる給紙延長トレイ１１２が設けられている。
【００５０】
＜上部ユニット詳細＞
図７は本発明の一実施形態に係る画像読取装置Ａの概略断面図である。
【００５１】
本体１００は、上部ユニット１０３と下部ユニット１０４とから構成され、上部ユニット１０３は下部ユニット１０４に対し、本体ヒンジ１０５を支点として回動可能に取り付けられている。なお、本実施形態においては、本体ヒンジ１０５は第１ヒンジ１０１と同軸に設けられており、軸部材を共通としている。
【００５２】
図８に示すような上部ユニット１０３を展開した状態における重心は、図７に示すような上部ユニット１０３を収納した状態よりも搬送方向前方側に大きくずれることになる。
【００５３】
したがって、上部ユニットを展開する際に勢いがあると画像読取装置Ａが転倒してしまう虞があるが、本実施形態に係る画像読取装置Ａにおいては、突出部１３０を有することにより、上部ユニット１０３の展開に伴う重心移動が起こっても画像読取装置Ａの転倒を防ぐことができる。突出部１３０の突出量は、図７のような上部ユニット１０３及び排出トレイ２の収納状態においては、排出トレイ２の下方に収まるような突出量であって、図８のような上部ユニット１０３の展開状態においては、本体１００の重心よりも搬送方向前方まで位置するような突出量となっている。これにより、上部ユニット１０３の展開による画像読取装置Ａの転倒を防止しつつ、排出トレイ２を収納した収納状態においては必要以上に突出させず、ユーザの邪魔にならないようにすることができる。特に、突出部１３０の突出量を図８のような上部ユニット１０３の展開状態において、上部ユニット１０３の重心よりも搬送方向前方側まで延在するようにすることで、より確実に画像読取装置Ａの転倒を防止できる。
【００５４】
＜上部ユニットのアース＞
図１１は本発明の一実施形態に係る画像読取装置Ａの要部断面図である。
【００５５】
上部ユニット１０３を収納する際に勢いよく回動させると、上部ユニット１０３が下部ユニット１０４側に接触する際に大きな衝撃が加わり、大きな音が発生してしまうなどすることがある。本実施形態に係る画像読取装置Ａにおいては、上部ユニット１０３の分離ローラ１２の両脇に、金属製の上部弾性部材１４０が設けられている。
【００５６】
上部ユニット１０３が収納状態となる際に、上部弾性部材１４０が下部ユニット１０４側に設けられた接点部１４１に弾性付勢されながら収納状態となる。上部弾性部材１４０の上部ユニット１０３に取り付けられる側の端部は、上部ユニット１０３内に設けられた電装部品のグランド側と導通しており、上部弾性部材１４０が接点部１４１に接触することによって下部ユニット１０４内に配置された電装部品のグランド側に導通される。
【００５７】
したがって、上部ユニット１０３の収納状態において、緩衝部材として機能する弾性部材１４０によって上部ユニット１０３側のアースを取ることができる。
【００５８】
＜ＣＩＳユニットのアース＞
図１２は本発明の一実施形態に係る画像読取装置Ａの画像読取ユニット７０の断面図である。
【００５９】
本実施形態においては、画像読取ユニット７０は搬送路ＲＴの両側に対向させて配置しており、以下の説明ではそれぞれ画像読取ユニット７０ａ、７０ｂとする。画像読取ユニット７０ａと７０ｂとは、搬送路ＲＴを挟んで対象に配置された同構造を有するセンサユニットである
【００６０】
画像読取ユニット７０ａは、内部にコンタクトイメージセンサ（以下、ＣＩＳ）７１ａと、色基準板７２ａが設けられている。
【００６１】
下部ユニット１０４に配置されたＣＩＳ摺動モータ７３の駆動力を、画像読取ユニット７０下部に設けられた伝達部材７４および伝達部材連結部１５０を介して伝達することで、ＣＩＳ７１ａおよび色基準板７２ａは、搬送方向に対し摺動可能に配置される。ＣＩＳ７１ａおよび色基準板７２ａを摺動させることによって、背景色の切り替えが可能である。
【００６２】
読取画像の背景色を白にする場合は、ＣＩＳ摺動モータ７３によってＣＩＳ７１ａを摺動させ、読み取り位置を対向する白色基準板７２ｂの位置に配置することにより白背景読取が可能となる。このとき、ＣＩＳ７１ａと白色基準板７２ａとが一体となって移動するので、ＣＩＳ７２ａを白背景位置に配置するとＣＩＳ７２ｂの読み取り位置と対向する位置に白色基準板７２ａが配置され、画像読取ユニット７０ａ、７０ｂの両方で白背景の読み取りが可能となる。
【００６３】
読取画像の背景色を黒にする場合はＣＩＳ７１ａの読み取り位置を対向する黒背景部７６ｂの位置に配置することにより黒背景の読み取りが可能となる。
【００６４】
ＣＩＳ７１ａ内の発光素子の発光を黒背景部７６ｂの斜面で拡散させ、ＣＩＳ７１ａ内の受光素子へ入光させないことで黒背景の読み取りを実現する。
【００６５】
画像読取ユニット７０ｂも画像読取ユニット７０ａ同様の構造であるが、ＣＩＳ７１ｂはＣＩＳ摺動モータ７３による駆動はされずに、ユニット内に固定されている。
【００６６】
画像読取ユニット７０ａは、下部ユニット１０４の収容部７７に挿入される際に、下部ユニット１０４側から突出した金属製の下部弾性部材７５を付勢しながら挿入され、収容完了位置において、嵌合固定される。
【００６７】
画像読取ユニット７０ａの下面は不図示の金属製部材７６で覆われており、ＣＩＳ７１ａなどの電装部品とアースが取られている。金属製部材７６で下部弾性部材７５を付勢しながら挿入されることで、画像読取ユニット７０は下部ユニット１０４に対しアースされる。
ここで、画像読取ユニット７０は、下部弾性部材７５によって上方に付勢されているため、嵌合固定を外すだけで画像読取ユニット７０が上方に持ち上げられ、画像読取ユニット７０の取り外しが容易となり、メンテナンス性を向上できる。
【００６８】
下部ユニット１０４の収容部７７は、下部ユニット１０４と対向する３面が構成されるように金属製板材を折り曲げて形成されている。
【００６９】
＜排出トレイ角度調節＞
図１３および図１４は本発明の一実施形態に係る画像読取装置Ａの排出トレイ２の内排出トレイ２０１が収納された状態における概略断面図である。
【００７０】
排出トレイ２ａは、内排出トレイ２０１と外排出トレイ２０２で構成されている。内排出トレイ２０１は、排出開口９２を経て排出された搬送媒体Ｓを積載する積載面を構成している。外排出トレイ２０２は、排出トレイ２が収納状態の時に排出トレイ２および装置本体の外観面（外装面）を構成している。内排出トレイ２０１と外排出トレイ２０２は、積載面に対して垂直な方向から見たとき、ほぼ同じ大きさで構成されており、内排出トレイ２０１は搬送方向上流側で回動支持部２０３にて回動可能に外排出トレイ２０２に軸支されている。また、内排出トレイ２０１と外排出トレイ２０２との間には、内排出トレイ２０１の下流端を外排出トレイ２０２から離間させる方向に付勢する内排出トレイ付勢部材２０４が設けられている。さらに、外排出トレイ２０２のシート幅方向端面に、内排出トレイロック部材２０５が設けられている。内排出トレイロック部材２０５は、搬送方向とほぼ平行にスライド可能となっており、ロック付勢部材２０６により内排出トレイロック部材２０５をロック方向(図１４の左方向)へ常時付勢している。
【００７１】
内排出トレイ２０１が内排出トレイロック部材２０５にロックされている状態、すなわち内排出トレイ２０１の幅方向の端部に設けられた係合部２０１ａが内排出トレイロック部材２０５と係合している状態においては、内排出トレイ付勢部材２０４による内排出トレイ２０１の回動が規制され、内排出トレイ２０１は外排出トレイ２０２とほぼ平行な位置関係で保持される。
【００７２】
次に、内排出トレイロック部材２０５をロック付勢部材２０６が付勢する方向と反対方向にスライドさせると、内排出トレイ２０１の係合部２０１ａが解除され、内排出トレイ付勢部材２０４の付勢力によって、内排出トレイ２０１は回動支持部２０３を回動軸として、内排出トレイ２０１の係止部２０１ｂが外排出トレイ２０２の係止部２０２ｂに係止するまで回動し、図１５のように内排出トレイ２０１が展開された状態になる。この時、内排出トレイ２０１が内排出トレイロック部材２０５によりロックされた状態に比べて、排出された搬送媒体Ｓを積載する積載面と画像読取装置Ａの接地面のなす角度が大きくなる。
【００７３】
また、内排出トレイ２０１が展開された状態において、内排出トレイ２０１を内排出トレイ付勢部材２０４による付勢方向と反対方向に押し込むと、内排出トレイ２０１の係合部２０１ａが内排出トレイロック部材２０５を押し退けた後に、内排出トレイロック部材２０５と係合され、内排出トレイ２０１は収納された状態に戻ることができる。
また、本実施例においては、排出トレイ２０１内が収納された状態が初期状態としているが、内排出トレイ２０１が展開された状態が初期状態であっても良い。すなわち、内排出トレイ２０１が展開された状態で排出トレイ２を装置本体側に収納可能にしてもよい。
【００７４】
例えば、図１５の状態では、図１４の状態と比べて、内排出トレイ２０１の下流端が鉛直方向上方に持ち上げられることとなり、排出トレイ２の上面において搬送媒体Ｓの先端が着地する位置を変更することができる。これにより、図１４の状態では、排出される搬送媒体Ｓの先端が、既に排出済みの搬送媒体Ｓの後端に当接して押し出してしまうような場合において、図１５のように内排出トレイ２０１の角度を変更することで、既に排出済みの搬送媒体Ｓの後端を下部ユニット１０４側に寄せる作用に加えて、既に排出済みの搬送媒体Ｓの上面に、後続の搬送媒体Ｓの先端を確実に着地させることができる。このような構成により、排出トレイ２上での排出済みの搬送媒体Ｓの整列性を格段に向上することができる。
【００７５】
また、内排出トレイロック部材２０５は排出トレイ２の幅方向端面に設けられているため、画像読取装置Ａが読取動作中、すなわち、複数の搬送媒体Ｓが排出トレイ２に排出されている最中においても、内排出トレイロック部材２０５の操作が可能であり、排出された搬送媒体Ｓの整列の具合を見ながら内排出トレイ２０１の好適な角度を調整することができ、使用性を向上できる。
【００７６】
なお、図１６のように、内排出トレイロック部材２０５の係合部２０５ａおよび係合部２０５ｂを複数個設けることで、内排出トレイ２０１の角度を複数段階で調節可能にしてもよい。その場合、搬送媒体Ｓごとに最も排出トレイ２上での整列性が高い角度で搬送媒体Ｓを受けることができ、使用性を向上できる。
【００７７】
本実施形態においては、内排出トレイ２０１は排出された搬送媒体Ｓを積載するトレイとして使用しているが、図１７のように、内排出トレイ２０１の角度を排出される搬送媒体Ｓの搬送方向に対して略直角に設定可能とすることで、排紙位置調整部材、すなわち排紙ストッパとして使用してもよい。この場合、内排出トレイ２０１を内排出トレイ付勢部材２０４によって付勢せずに、予め設定された複数の角度でうち排出トレイ２０１を停止させられるようにクリックを設け、ユーザが内排出トレイ２０１に設けられた切り欠きなどに触れて操作してうち排出トレイ２０１の角度を調節することができるようにしても良い。
【００７８】
また、本実施形態においては、第１排出トレイ２ａに回動可能な内排出トレイ２０１を設ける構成としているが、図５における第１延長トレイ２ｂ、第２延長トレイ２ｃおよび第３延長トレイ２ｄに回動可能な内排出トレイを設けてもよい。
【００７９】
（第二実施形態）
以下では、本発明の第二実施形態に係る画像読取装置において第一実施形態と異なる部分のみを説明し、その他の構成については第一実施形態と同様である。
【００８０】
本実施形態における排紙トレイ２は、装置本体に対して着脱可能に設けられている。排出トレイ２の搬送方向上流側にヒンジ部を有し、ヒンジ部を装置本体の排出開口９２付近に設けられた固定部９２Ａに対して取り付けることで、装置本体の排出開口９２に対して所定の角度で排紙トレイが固定されるようになっている。
【００８１】
ここで、排出トレイ２のヒンジ部を固定可能な固定部９２Ａとは異なる固定部９２Ｂを装置本体の排出開口９２付近に設け、固定部９２Ｂに排出トレイ２を固定した場合に固定部９２Ａに排出トレイ２を固定した場合とは排出開口９２に対してなす角度が異なるようにすることで、排出トレイ２に向けて排出される搬送媒体Ｓの着地位置を異ならせることができ、排出された搬送媒体Ｓの整列性を向上できる。
【００８２】
（第三実施形態）
以下では、本発明の第三実施形態に係る画像読取装置において第一実施形態と異なる部分のみを説明し、その他の構成については第一実施形態と同様である。
【００８３】
本実施形態における排出トレイ２は、載置台１を構成する給紙トレイ１Ｂと排出トレイ２とを相互に入れ替えて取り付けられるようにしている。給紙トレイ１Ｂは、装置本体の上方に設けられた支持開口１Ａに、給紙トレイ１Ｂの両側部に設けられた支持ピンが挿入されることで支持されている。本実施形態における排出トレイ２も、その上流側の端部の両側部に支持ピン２１０が設けられている。この支持ピン２１０は、排出トレイ２が排出開口９２付近に取り付けられる際には使用されていなくとも良い。
【００８４】
この支持ピン２１０を支持開口１Ａに挿入して排出トレイ２を給紙トレイ１Ｂに置き換えて支持し、一方、給紙トレイ１Ｂを排出開口９２付近に、排出トレイ２が取り付けられる際に装置本体の載置面となす角度よりも給紙トレイ１Ｂの上面が装置本体側になるように、すなわち、装置本体の載置面となす角が大きくなるように取り付けられる。こうすることによって、給紙トレイ１Ｂを利用して、排出トレイ２よりも装置本体の載置面となす角度が大きい排出面を形成することで、搬送媒体Ｓの整列性を向上できるだけでなく、給紙トレイ１Ｂに設けられた規制板を利用して、搬送媒体Ｓの整列性をさらに向上できる。なお、規制板とは、給紙トレイ１Ｂが載置台１として給紙口付近に取り付けられた際に、搬送媒体Ｓの幅方向における移動に規制するものであり、搬送方向と垂直に移動可能に設けられている。
【００８５】
（第四実施形態）
以下では、本発明の第四実施形態に係る画像読取装置において第三実施形態と異なる部分のみを説明し、その他の構成については第三実施形態と同様である。
【００８６】
本実施形態における排出トレイ２は、その下面側に、給紙トレイ１Ｂが係合する係合孔を有している。
【００８７】
これにより、給紙トレイ１Ｂを取り外して排紙トレイ２の背面に固定して、排出トレイ２を上方に持ち上げて、排出された搬送媒体Ｓが着地する位置を変更し、また、既に排出済みの搬送媒体Ｓの後端を下部ユニット１０４側に寄せる作用を高めることができ、整列性を向上できる。
【００８８】
なお、上記各実施形態で説明したように、内排出トレイ２０１の下流端側が外排出トレイ２０２に対して離間するように回動して、シート積載面が排出口となす角度を調整可能としたが、図７や図８に示すように、突出部１３０にトレイ支持部１３１を設け、トレイ支持部１３１と排出トレイ２とを当接させることによって、排出トレイ２が排出口に対してなす角度を調整可能にするものと組み合わせても良い。
【００８９】
以上、本発明の実施形態について詳細に説明したが、本発明の範囲内にて種々の変更が可能であり、各実施形態を適宜組み合わせて用いられることは当業者にとって明らかである。
【符号の説明】
【００９０】
Ａ  画像読取装置
Ｓ  搬送媒体
１  載置台
２  排出トレイ
２ａ  第１排出トレイ
２ｂ  第１延長トレイ
２ｃ  第２延長トレイ
２ｄ  第３延長トレイ
３  駆動部
４  駆動部
５  伝達部
１０  第１搬送部
１１  送りローラ
１２  分離ローラ
２０  第２搬送部
３０  第３搬送部
７０  画像読取ユニット
８０  制御部
９０  正面パネル
１００  本体
１２０  排出位置調整部材
１２２  操作キー群
２０１  内排出トレイ
２０１ａ  係合部
２０１ｂ  係止部
２０２  外排出トレイ
２０２ｂ  係止部
２０３  回動支持部
２０４  内排出トレイ付勢部材
２０５  内排出トレイロック部材
２０５ａ、２０５ｂ  係合部
２０６  ロック付勢部材
【図１】
2018104154.tif 000003
【図２】
2018104154.tif 000004
【図３】
2018104154.tif 000005
【図４】
2018104154.tif 000006
【図５】
2018104154.tif 000007
【図６】
2018104154.tif 000008
【図７】
2018104154.tif 000009
【図８】
2018104154.tif 000010
【図９】
2018104154.tif 000011
【図１０】
2018104154.tif 000012
【図１１】
2018104154.tif 000013
【図１２】
2018104154.tif 000014
【図１３】
2018104154.tif 000015
【図１４】
2018104154.tif 000016
【図１５】
2018104154.tif 000017
【図１６】
2018104154.tif 000018
【図１７】
2018104154.tif 000019